(57)【要約】【課題】  表示装置に表示中のオブジェクトへのアクセス検出状況を必要な場合に通知する。【解決手段】  登録者は、サーバ１の通知条件登録部１１により、表示装置２に表示中のオブジェクトへのアクセスを検出した場合に、そのアクセス検出を通知するか否かを判定する条件を通知条件情報１４に登録し、利用者が表示装置２に表示されているオブジェクトにアクセスすると、アクセス内容および場所情報２４をサーバに通知し、サーバは、通知判定部１２により、前記通知条件情報１４、これまでのアクセス検出履歴を格納したアクセス検出履歴情報１５、これまでのアクセス通知履歴を格納したアクセス通知履歴情報１６、前記場所情報２４、および前記アクセス内容を利用して、利用者にアクセス検出状況を通知するか否かを判定し、通知すると判定した場合に送受信部１３により通知対象者にアクセス検出状況を通知する。【選択図】図１
2007025833.tif 000002
【特許請求の範囲】
【請求項１】
異なる場所に設置可能な複数の表示装置と、ネットワークを介して前記複数の表示装置に接続可能なサーバとを備えた情報通知システムにおいて、
前記表示装置は、情報を表示する表示部と、前記情報に対する利用者からのアクセスを検出する検出部と、前記利用者からのアクセス検出情報と当該表示装置の場所情報を前記サーバに送信する送信部とを有し、
前記サーバは、登録者からの通知条件情報を登録する登録部と、前記表示装置から送信された前記アクセス検出情報と前記場所情報を受信する受信部と、アクセス検出を通知対象者に送信する送信部と、前記表示装置から受信した前記アクセス検出情報および前記場所情報、前記通知条件情報、これまでのアクセス検出結果を格納したアクセス検出履歴情報およびこれまでのアクセス通知結果を格納したアクセス通知履歴情報に基づいて、前記通知条件情報を満たすか否かを判定する判定部とを有することを特徴とする情報通知システム。
【請求項２】
請求項１に記載の情報通知システムにおいて、
前記表示装置の前記表示部は、前記表示装置の設置場所を示す場所ＩＤおよび前記表示部に表示中のオブジェクトを識別するオブジェクトＩＤを表示し、
前記サーバの前記受信部は、前記利用者の情報端末から送信された前記場所ＩＤ、前記オブジェクトＩＤおよび前記表示中のオブジェクトに対する操作内容を受信し、
前記サーバの前記判定部は、前記情報端末から受信した前記場所ＩＤ、前記オブジェクトＩＤ、前記操作内容、前記通知条件情報、前記アクセス検出履歴情報および前記アクセス通知履歴情報に基づいて前記通知条件情報を満たすか否かを判定することを特徴とする情報通知システム。
【請求項３】
請求項１または請求項２に記載の情報通知システムにおいて、
前記複数の表示装置のうちの１つの表示装置は、前記サーバが有する前記登録部、前記受信部及び前記送信部の少なくとも１つを有することを特徴とする情報通知システム。
【請求項４】
請求項１から請求項３に記載のいずれかの情報通知システムにおいて、
前記サーバの前記判定部は、優先順位が高い通知条件データから順番に通知条件を満たすか否かを判定し、
前記サーバの前記送信部は、前記通知条件を満たすと判定した場合に、前記通知条件が成立したことを前記通知対象者に通知し、前記通知条件情報に格納されているすべてのデータについて前記通知条件が満たされなかったと判定した場合に、前記通知対象者に通知しないことを特徴とする情報通知システム。
【請求項５】
請求項１から請求項３に記載のいずれかの情報通知システムにおいて、
前記表示装置の前記検出部は、前記表示部に形成されたタッチパネルまたはセンサを利用して、前記利用者からアクセスされた前記表示中のオブジェクトを特定し、
前記表示装置の前記送信部は、特定された前記オブジェクト情報を前記サーバに送信することを特徴とする情報通知システム。
【請求項６】
請求項１から請求項３に記載のいずれかの情報通知システムにおいて、
前記表示装置の前記検出部は、センサを利用して前記表示装置の周辺を通過した人を検出することを特徴とする情報通知システム。
【請求項７】
請求項１から請求項３に記載のいずれかの情報通知システムにおいて、
前記サーバの前記送信部は、前記判定部により通知条件が満たされると判定した場合に、電子メールを利用して前記場所情報および成立した通知条件情報を前記通知対象者に通知することを特徴とする情報通知システム。
【請求項８】
情報を表示して利用者からのアクセスを検出する複数の表示装置に表示された情報に対する利用者からアクセスに応じて、前記表示装置にネットワークを介して接続されたサーバから通知対象者に通知する情報通知方法において、
前記表示装置が、前記利用者によるアクセスを検出するステップと、
前記表示装置が、検出された前記アクセス検出情報および前記表示装置の場所情報を取得するステップと、
前記表示装置が、前記アクセス検出情報と前記場所情報を前記サーバに送信するステップと、
前記サーバが、前記表示装置から受信した前記アクセス検出情報と前記場所情報をアクセス検出履歴情報に格納するステップと、
前記サーバが、前記表示装置から受信した前記アクセス検出情報および前記場所情報、登録者により登録された通知条件情報、これまでのアクセス検出結果を格納したアクセス検出履歴情報およびこれまでのアクセス通知結果を格納したアクセス通知履歴情報に基づいて、前記通知条件情報を満たすか否かを判定するステップと、
前記サーバが、前記通知条件情報を満たす場合に前記通知対象者に通知するステップと、
前記サーバが、前記通知対象者に通知した結果を前記アクセス通知履歴情報に格納するステップとを有することを特徴とする情報通知方法。
【請求項９】
請求項８の情報通知方法において、
前記サーバが、前記表示装置に表示中のオブジェクトに対するアクセス操作内容を、前記利用者の情報端末から受信するステップと、
前記サーバが、前記アクセス操作内容を、アクセス検出履歴情報に格納するステップとを有することを特徴とする情報通知方法。
【請求項１０】
請求項８または請求項９の情報通知方法において、
前記通知条件情報を満たすか否かを判定するステップは、
前記サーバが、定められた時間ごとに、前記通知条件情報を満たすか否かを判定することを特徴とする情報通知方法。
【請求項１１】
表示装置の設置場所と前記表示装置に表示されたオブジェクトに対する利用者からのアクセス内容とを含む条件と通知対象者の宛先を予め登録し前記条件が満たされた場合に前記通知対象者の宛先へ通知する制御装置とネットワークを介して接続可能で、前記制御装置による制御に従って前記オブジェクトを表示する表示装置において、
当該表示装置の設置場所ＩＤと前記オブジェクトと前記オブジェクトＩＤを記憶する記憶部と、
前記オブジェクトを表示する表示部と、
前記利用者からの入力を受け付ける入力部と、
前記利用者からの入力に基づいて前記オブジェクトに対するアクセス内容を判定する判定部と、
前記記憶部内の前記設置場所ＩＤと前記オブジェクトＩＤと前記判定部の前記アクセス内容を、前記制御装置へ送信する送信部とを備えたことを特徴とする表示装置。
【請求項１２】
表示装置の設置場所ＩＤと表示すべきオブジェクトとオブジェクトＩＤとを記憶し前記オブジェクトを表示し表示された前記オブジェクトに対する利用者からのアクセス内容を判定する表示装置とネットワークを介して接続可能で、前記表示装置の表示を制御する制御装置において、
前記表示装置の設置場所ＩＤと前記オブジェクトＩＤと前記表示装置に表示されたオブジェクトに対する利用者からのアクセス内容とを含む条件と通知対象者の宛先を記憶する記憶部と、
前記設置場所ＩＤと前記アクセス内容を、前記表示装置から受信する受信部と、
前記表示装置からの前記設置場所ＩＤと前記オブジェクトＩＤと前記アクセス内容に基づいて、前記条件を満たすか否かを判定する判定部と、
前記条件を満たす場合に、前記通知対象者の宛先へ通知する通知部とを有することを特徴とする制御装置。
【発明の詳細な説明】
【技術分野】
【０００１】
本発明は、表示装置に表示しているオブジェクトにアクセスした場合にそのアクセス検出状況を通知するシステム及び方法に関し、特にアクセスされた場所、アクセス検出履歴、およびアクセス通知履歴に基づいて、予め設定した通知条件を満たす場合にそのアクセス検出状況を通知するシステム及び方法に関する。
【背景技術】
【０００２】
バナー広告の閲覧状況を広告主自身が、リアルタイムに把握することが可能なバナー広告管理システム、このシステムを利用するバナー広告管理方法およびこの方法を記録した記憶媒体等については、特開２０００−２１５１３６号公報に記載されている。その概要は、ＷＷＷサーバシステムは、ヘッダ情報の一部に管理システムのＵＲＬアドレス情報を保持したバナー広告データを記憶させるようにしている。そして、本発明に係るバナー広告管理方法においては、利用者端末からバナー広告データ掲載ページの表示要求およびバナー広告データのクリック要求を受け取った際、ヘッダ情報に保持された前記ＵＲＬアドレス、例えば、広告主の管理システムのＵＲＬアドレスに閲覧情報を送信することを特徴とするものである。
【０００３】
また、ホームページの異常を検出すること等については、特開２００４−２６５２５５号公報に記載されている。その概要は、ホームページのアクセス監視システムであって、アクセス監視システムは、ホームページを識別するページ識別情報に対応付けて、ホームページが所定期間にアクセスされる回数の期待値であるアクセス期待値を格納するアクセス期待値格納部と、ページ識別情報に対応付けて、ホームページがアクセスされたアクセス回数を計測するアクセス計測部と、所定期間においてアクセス計測部により計測されたアクセス回数が、アクセス期待値格納部に格納されたアクセス期待値よりも小さい場合に、その旨をページ識別情報と共に出力する通知出力部とを備えることを特徴とするものである。
【０００４】
【特許文献１】特開２０００−２１５１３６号公報
【特許文献２】特開２００４−２６５２５５号公報
【発明の開示】
【発明が解決しようとする課題】
【０００５】
特開２０００−２１５１３６号公報では、利用者がインターネット上のＷｅｂページを表示した場合、またはＷｅｂページ上のバナー広告をポインティングデバイスによりクリックした場合に、広告主の管理システムのＵＲＬアドレスに閲覧情報を送信している。しかし、管理システムに閲覧情報を送信するのは、Ｗｅｂページを表示した場合またはＷｅｂページ上のバナー広告をクリックした場合の二種類の操作を検出した場合であるため、利用者によるアクセスが発生するたびにすべてのアクセス検出が広告主に通知される。つまり、広告主がアクセス検出に関する必要な情報だけをタイムリーに取得することはできない。
【０００６】
また、特開２００４−２６５２５５号公報では、利用者によるホームページへのアクセス回数をカウントし、所定のアクセス回数に達した場合に、ホームページに異常が生じたと判断し、その旨を通知する。しかし、ホームページへのアクセス回数のみを通知条件として通知するか否かを判定しているため、利用者による様々な操作内容に応じて、アクセス検出に関する情報をタイムリーに通知することはできない。
【０００７】
上記従来技術はともに、インターネット上のホームページへのアクセスに関するものであるため、利用者がそのＷｅｂページ画面をどこでアクセスしたかという場所に関する情報を考慮していない。従って、利用者が街角や施設内など複数箇所に設置された表示装置の表示画面または画面上の表示オブジェクト対してアクセスしても、表示装置が設置された位置情報に基づいてアクセス検出状況を通知することはできない。
【０００８】
本発明の目的は、利用者が表示装置に表示中の画面またはオブジェクトをアクセスすると、アクセス回数、アクセス内容、またはアクセスされた場所などの様々な条件に応じて、そのアクセス検出状況をタイムリーに通知することができる情報通知システム及び方法を提供することにある。
【課題を解決するための手段】
【０００９】
本発明は、表示装置が、情報を表示し、情報に対する利用者からのアクセスを検出し、利用者からのアクセス検出情報と表示装置の場所情報をサーバに送信し、サーバが、登録者からの通知条件情報を登録し、表示装置から送信されたアクセス検出情報と場所情報を受信し、アクセス検出を通知対象者に送信し、表示装置から受信したアクセス検出情報および場所情報、通知条件情報、これまでのアクセス検出結果を格納したアクセス検出履歴情報およびこれまでのアクセス通知結果を格納したアクセス通知履歴情報に基づいて、通知条件情報を満たすか否かを判定し、通知条件情報を満たす場合に通知対象者に通知する。
【００１０】
本発明は、表示装置が、当該表示装置の設置場所ＩＤとオブジェクトとオブジェクトＩＤを記憶し、オブジェクトを表示し、利用者からの入力を受け付け、利用者からの入力に基づいてオブジェクトに対するアクセス内容を判定し、設置場所ＩＤとオブジェクトＩＤと判定部のアクセス内容を、制御装置へ送信し、制御装置が、表示装置の設置場所ＩＤとオブジェクトＩＤと表示装置に表示されたオブジェクトに対する利用者からのアクセス内容とを含む条件と通知対象者の宛先を記憶し、設置場所ＩＤとアクセス内容を表示装置から受信し、表示装置からの設置場所ＩＤとオブジェクトＩＤとアクセス内容に基づいて、条件を満たすか否かを判定し、条件を満たす場合に、通知対象者の宛先へ通知する。
【発明の効果】
【００１１】
本発明によれば、アクセス検出状況を通知するか否かを判定する通知条件情報を保持し、利用者が表示中の画面またはオブジェクトにアクセスすると、そのアクセス内容およびアクセスされた表示装置の場所などのアクセスに関する情報、アクセス検出履歴情報、およびアクセス通知履歴情報に基づいて、通知条件が成り立つか否かを判定するため、表示装置へのアクセス状況に関する必要な情報だけをタイムリーに知ることができる。例えば、複数の表示装置を利用した商品予約や景品配布などのサービスにおいて、通知条件として表示装置の場所情報を指定することにより、場所ごとのアクセス状況をタイムリーに知ることができるため、表示装置設置拠点間でのアクセス状況をタイムリーに把握し、効率的な在庫調整ができる。
【００１２】
本発明によれば、表示装置の場所に対応して利用者からのアクセスを検出するため、表示装置に表示しているオブジェクトに関係する表示装置の周辺の店舗などが事前に対策を検討することができる。
【発明を実施するための最良の形態】
【００１３】
以下、図面を用いて本発明の実施の形態を詳細に説明する。
【００１４】
本実施形態では、オープンスペースや建物内部などの人の集まる複数の店舗の前に、広告画面を表示する表示装置を設置し、利用者が表示装置に表示中の広告画面をアクセスして全店舗共通の粗品贈呈クーポン券を取得すると、その広告画面のクーポン券取得に関して予め定められた通知条件を満たす場合に、予め登録された通知対象者そのアクセス検出状況を通知する情報通知システムおよび方法の例を用いる。この例は、ある店舗前の表示装置をアクセスしてクーポン券を取得する利用者が多くなると、贈呈する粗品の在庫が不足する可能性があるため、効率的に店舗間で在庫調整をするためにクーポン取得数がある一定値に達するとメッセージを通知することを目的としている。ただし、本発明の技術的思想は、この例に限定されるものではない。
【００１５】
図１は、本発明の実施形態の情報通知システムを示す図である。
【００１６】
本発明のシステムでは、サーバ１（制御装置）は、ネットワーク３を介して複数の表示装置２と接続し、複数の表示装置２の表示を個別に制御する。サーバ１は、通知条件登録部１１、通知判定部１２、送受信部１３、通知条件情報１４、アクセス検出履歴情報１５、アクセス通知履歴情報１６から構成される。サーバ１は、処理装置と、通知条件情報１４とアクセス検出履歴情報１５とアクセス通知履歴情報１６とを記憶する記憶装置と、ネットワークと通信するための通信装置とを含む。通知条件登録部１１、通知判定部１２、送受信部１３は、プログラムに従って処理装置が所定の処理を実行することにより実現される。表示装置２に広告画面を表示させる広告主または表示装置２を運営している管理者などの登録者は、パソコンや携帯電話などの情報端末を利用して、通知条件登録部１１により広告画面へのアクセス検出を通知するか否かを判定するための通知条件を通知条件情報１４として登録する。また、サーバ１は送受信部１３において表示装置２から送信された利用者のアクセス検出情報を受信し、そのアクセス検出情報をアクセス検出履歴情報１５に格納し、通知判定部１２において登録された前記通知条件情報の各々の通知条件を満たすか否かを判定し、通知すると判定した場合に送受信部１３により通知対象者にアクセス検出状況を通知するとともに、その通知結果をアクセス通知履歴情報１６に格納する。
【００１７】
表示装置２は、表示部２１、アクセス検出部２２、送受信部２３、場所情報２４から構成される。表示装置２は、処理装置と、表示装置２の場所情報２４などを記憶する記憶装置と、ネットワークと通信するための通信装置、利用者からの入力を受け付ける入力装置を含む。アクセス検出部２２及び送受信部２３は、プログラムに従って処理装置が所定の処理を実行することにより実現される。表示装置２は、サーバ１から配信される広告を画面に表示する。表示装置２は、サーバ１から配信される広告を表示装置２内の記憶装置に記憶しておき、サーバ１から配信されるスケジュールに従って広告を表示する。利用者は、表示部２１により表示されている広告画面などの情報を見て、アクセス検出部２２において利用者からのアクセスを検出すると、送受信部２３により、アクセス検出情報およびアクセスを検出した表示装置に関する場所情報２４をサーバ１に送信する。表示装置２は、広告以外のコンテンツ（例えば、地図）を表示部２１に表示してもよい。
【００１８】
なお、アクセス検出部２３は、利用者がタッチパネルなどのセンサ反応を利用することにより、表示装置２に表示されている広告画面へのアクセスを検出する手段、あるいは赤外線センサや超音波センサなどのセンサ反応やカメラの撮影画像の解析を利用することにより、表示装置２の前を通過または立ち止まったことを検出し、表示装置２に表示中の広告画面をアクセスしたと認識する手段、あるいはＩＣカードや磁気カードなどの読取り装置を備えて、それらのカードを読取り装置にかざすことによって、表示中の広告画面をアクセスしたと認識する手段、あるいはボタンやレバー、キーボードなどの入力装置を備えて、その入力により表示装置２に表示中の広告画面をアクセスしたと認識する手段、などを提供する。
【００１９】
また、表示装置２に表示している広告画面へのアクセスは、一画面中に表示された複数の広告オブジェクトの中から利用者がどれか一つを選択することにより広告オブジェクトをアクセスしたと認識する方法であっても、同時には一画面中に一つの広告オブジェクトだけを表示し、一定時間経過すると別の広告オブジェクトの表示に切り替わり、利用者が情報端末やセンサ反応を利用して表示装置２にアクセスしたタイミングで表示されている広告オブジェクトをアクセスしたと認識する方法であってもよい。あるいは、ノートパソコンや携帯電話などの情報端末を利用して、表示装置２に表示されている広告画面を識別する番号などの情報をサーバ１に通知することにより、広告画面をアクセスしたと認識する方法であってもよい。
【００２０】
その際の表示装置２の表示部２１に表示する画面の一例を図８に示し、利用者が操作する携帯電話の画面の一例を図９に示す。
【００２１】
利用者は、表示装置２に表示されている場所番号８１（場所ＩＤ）や広告番号８２（広告ＩＤ）などを見て、携帯電話の場所番号９１（場所ＩＤ）や広告番号９２（広告ＩＤ）の入力欄にそれぞれ入力する。携帯電話は、場所番号９１や広告番号９２をサーバ１に送信する。サーバ１は、場所番号９１の場所において利用者が広告番号９２の広告画面にアクセスしたと認識する。
【００２２】
なお、表示装置２は複数ではなく１つであってもよい。また、サーバ１の前記機能を表示装置２の内部に保持し、サーバ１と表示装置２が物理的に一つのハードウェア機器であってもよい。また、表示装置２は、利用者の携帯電話から無線通信により入力を受けた場合に、場所番号８１と広告番号８２を携帯電話へ送信してもよい。これにより、利用者の携帯電話への場所番号９１や広告番号９２の入力負担が軽減する。
【００２３】
図２は、本実施形態の通知条件情報１４の一例を示す図である。
【００２４】
通知条件情報１４は、各通知条件データを識別する条件番号１４１（条件ＩＤ）、通知条件としてアクセスされた表示装置２の設置場所を示す設置場所ＩＤ１４２、通知条件としてアクセスされた日時または日時の範囲を示す日時１４３、通知条件として表示装置２に表示中のアクセス対象となる広告画面またはその他のキャラクタなどの表示オブジェクトを識別するオブジェクト１４４、通知条件としてアクセスを行った利用者またはグループを示す利用者１４５、通知条件としてアクセスの内容を示すアクセス内容１４６、通知条件が成立した場合にアクセス検出状況の通知先を示す通知対象者１４７から構成される。通知条件情報１４に格納されている各々の通知条件データは、条件番号１４１の順番に従って判定する優先度が与えられているものとする。また、通知対象者１４７は、広告画面を提供している広告主だけではなく、サービス運営者、システム管理者、または第三の個人またはグループであってもよい。また、設置場所ＩＤ１４２やアクセス内容１４６中の設置場所ＩＤは、複数の設置場所ＩＤがグループ化されてもよい。逆に、グループ化すべき表示装置２に、同一の設置場所ＩＤを割り当ててもよい。
【００２５】
なお、通知条件の項目として、条件番号１４１から通知対象者１４７の一部は、必須ではない。通知条件情報１４は、通知条件の項目として条件番号１４１から通知対象者１４７以外の項目を保持してもよい。例えば、通知条件情報１４の一例を示す通知条件データ１４０１は、条件番号１４１が「１」であることから優先度が最も高い通知条件であることを示し、設置場所ＩＤが「１００」を示す表示装置２において「１０月１０日から１０月１８日の間」に表示されている「広告１３０」を「登録会員」がアクセスし、「設置場所ＩＤが１００の場所においてクーポン券を取得した回数が１０件に到達し、かつ条件番号２の通知条件データが成立していない」場合に、「ａｄｍｉｎ＠ｘｘｘ．ｃｏｍ」および「ｙａｍａｄａ＠ｘｘｘ．ｃｏｍ」にアクセス検出状況を通知することを示す。優先順位は、登録者又はサーバ１の管理者によって予め付与されてもよい。
【００２６】
通知条件情報１４の一例を示す通知条件データ１４０２は、条件番号１４１が「２」であることから通知条件データ１４０１の次に優先度が高い通知条件であることを示し、設置場所ＩＤが「１０１」を示す表示装置２において日付が「１０月１０日から１０月１８日の間」に表示されている「広告１３０」を「登録会員」がアクセスし、「設置場所ＩＤが１０１の場所においてクーポン券を取得した回数が１０件に到達した」場合に、「ａｄｍｉｎ＠ｘｘｘ．ｃｏｍ」、「ｔａｎａｋａ＠ｘｘｘ．ｃｏｍ」、「ｓｕｚｕｋｉ＠ｙｙｙ．ｃｏｍ」にアクセス検出状況を通知することを示す。
【００２７】
表示装置２のアクセス検出部２２がセンサやタッチパネルなどを利用してアクセスを検出し、アクセスした利用者を特定しない場合は、通知条件データ１４０３および１４０４のように利用者１４５を「なし」と指定し、利用者に関する条件を指定する必要はない。また、アクセス内容に指定する条件は、前記通知条件データ１４０１および１４０２のようにクーポン券の取得だけではなく、通知条件データ１４０３における「コメントが投稿された」、あるいは通知条件１４０４データにおける「タッチパネルで広告の詳細情報を見た」などのように、表示装置２のアクセス検出部２２が検出可能な操作であればよい。
【００２８】
図３は、本実施形態のアクセス検出履歴情報１５の一例を示す図である。
【００２９】
アクセス検出履歴情報１５は、利用者のアクセスを検出した際に表示装置２または携帯電話などの情報端末からサーバ１に送信されたアクセス検出情報を履歴として格納するものであり、利用者がアクセスした表示装置２の設置場所を示す設置場所ＩＤ１５１、利用者のアクセス日時を保持する日時１５２、アクセスされた表示中の広告画面またはその他のキャラクタなどの表示オブジェクトを識別するオブジェクト１５３、アクセスを行った利用者を示す利用者１５４、アクセスされた内容を示すアクセス内容１５５から構成される。但し、これらのデータ項目の一部は必須ではない。例えば、アクセス検出履歴情報１５の一例を示すアクセス検出履歴データ１５０１は、設置場所ＩＤが「１００」を示す表示装置２において「２００５年１０月１５日１４時３０分」に表示されている「広告１３０」を利用者「高橋」が「携帯電話で操作して、クーポン券を取得した」ことを示す。同様に、利用者がアクセスを行うたびに、アクセス検出履歴データ１５０２や１５０３のようなアクセス検出情報を示すデータをアクセス検出履歴情報１５に格納する。
【００３０】
図４は、本実施形態のアクセス通知履歴情報１６の一例を示す図である。
【００３１】
アクセス通知履歴情報１６は、通知条件情報１４に格納されている通知条件データのいずれかが成立した際に、通知対象者１４７にアクセス検出状況を通知した履歴を格納するものであり、通知対象者１４７に通知した通知日時１６１、成立した通知条件データを示す通知条件番号１６２から構成される。例えば、アクセス通知履歴情報１６の一例を示すアクセス通知履歴データ１６０１は、「２００５年１０月１５日１４時３０分」に通知条件番号「４」の通知条件が成立し、そのアクセス検出状況を通知したことを示す。同様に、通知対象者にアクセス検出状況を通知するたびに、アクセス通知履歴データ１６０２のようなアクセス検出状況を示すデータをアクセス通知履歴情報１６に格納する。
【００３２】
図５は、本実施形態の場所情報２４の一例を示す図である。
【００３３】
場所情報２４は、表示装置２内部に表示装置２の設置場所を示すＩＤを格納したものであり、設置場所ＩＤ２４１から構成される。例えば、場所情報２４の一例を示す場所データ２４０１は、設置場所ＩＤが「１００」である場所に表示装置２を設置していることを示す。ただし、各表示装置２の場所情報２４は場所データを一つだけ格納している。
【００３４】
図６は、表示装置２において利用者のアクセスを検出した際に、アクセス検出情報をサーバ１に送信する処理フローを示したものである。
【００３５】
ステップ６０１では、アクセス検出部２２において利用者からのアクセスを検出する。例えば、読取装置にＩＣカードや磁気カードなどのカードをかざす（あるいは挿入する）、あるいはセンサやタッチパネルなどを利用してアクセスを検出する。
【００３６】
ステップ６０２では、ステップ６０１においてアクセスを検出した際の時間、アクセスされたオブジェクト（例えば、表示部２１において表示されていたオブジェクトあるいは選択されたオブジェクトなど）番号（オブジェクトＩＤ）、アクセス検出した際に取得した利用者の情報（例えば、氏名、住所、その他属性）、アクセスした際の操作内容や利用者の行動内容であるアクセス内容など、アクセスに関する情報を取得する。表示装置２は、時間及びオブジェクトＩＤを表示装置２内部から取得する。表示装置２は、利用者の携帯電話から利用者の情報を取得する。表示装置２は、利用者からの入力に応じて、オブジェクトに対する利用者のアクセス内容を判定する。
【００３７】
ステップ６０３では、表示装置２内部に格納されている場所情報２４から設置場所に関する情報を取得する。
【００３８】
ステップ６０４では、送受信部２３を利用して、ステップ６０２およびステップ６０３で取得したアクセス情報をサーバ１に送信する。ステップ６０４で送信するアクセス情報は、サーバ１においてアクセス検出履歴情報１５に格納するデータであり、設置場所ＩＤ１５１、アクセスを検出した日時１５２、アクセスされた広告画面を示すオブジェクトＩＤ１５３、アクセスした利用者１５４、アクセス内容１５５から構成される。ただし、利用者１５４は、具体的な名前ではなくても、アクセス検出部２２において検出した利用者を識別する番号（例えば、利用者が利用したＩＣカードの識別番号）であってもよく、サーバ１において利用者の登録情報を管理しているデータベースから別途検索して、利用者の識別番号に対応する具体的な名前を取得する方法であってもよい。
【００３９】
図７は、サーバ１において表示装置２または利用者の携帯電話から利用者のアクセス検出情報を受信した際に、通知条件情報を満たすか否かを判定し、通知条件情報を満たす場合にそのアクセス検出状況を通知対象者に通知する処理フローを示したものである。
【００４０】
ステップ７０１では、送受信部１３において、図６における処理フローのステップ６０４で送信されたアクセス検出情報を受信する。あるいは、図８の表示装置２の画面を見た利用者が図９の携帯電話の表示画面を操作し、表示装置２に表示された広告画面へのアクセス情報をサーバ１に送信することにより、送受信部１３において、そのアクセス検出情報を受信してもよい。その際、アクセス検出履歴情報１５にデータを格納するために必要な設置場所ＩＤ１５１は場所番号９１から、オブジェクト１５３は広告番号９２から、アクセス内容１５５は携帯電話の操作画面の操作内容から決定することが可能である。
【００４１】
ステップ７０２では、ステップ７０１で受信したアクセス検出情報をアクセス検出履歴情報１５に格納する。
【００４２】
ステップ７０３では、ステップ７０１で受信したアクセス検出情報に関連する通知条件を通知条件情報１４から検索する。例えば、アクセス検出情報の各レコードのデータ項目（設置場所、日時、オブジェクト、利用者、アクセス内容）の何れかに一致する項目を含む通知条件を検索する。通知条件情報１４から複数の通知条件データを取得できる場合は、それらをすべて保持する。例えば、通知条件情報１４から通知条件データ１４０１、１４０２、１４０３、１４０４を順に取得する。
【００４３】
ステップ７０４では、ステップ７０４において取得したすべての通知条件データに関して通知条件を判定していない場合は、ステップ７０５に遷移し、ステップ７０４において取得したすべての通知条件に関して通知条件を判定した場合は、本処理フローを終了する。従って、本ステップ７０４においてすべての通知条件データに関して通知条件を満たさないと判定した場合は、通知対象者にアクセス検出状況を通知することない。
【００４４】
ステップ７０５では、ステップ７０３で取得した通知条件データの中から、まだ通知条件の判定を行っていない優先度の最も高い通知条件データを一つ取得する。例えば、通知条件データ１４０１を取得する。そして、この通知条件を満たすか否かを判定するために、アクセス検出履歴情報１５およびアクセス通知履歴情報１６から判定に必要なデータを検索する。例えば、通知条件データ１４０１のアクセス内容に関する通知条件として、「設置場所ＩＤが１００の場所においてクーポン券の取得が１０回に達したか否か」を調べるために、アクセス検出履歴情報１５に格納されているアクセス検出履歴データを検索し、該当するアクセス検出履歴データの総数を数え上げる。また、「条件番号２が成立していないか否か」調べるために、アクセス通知履歴情報１６に格納されているアクセス通知履歴データを検索し、通知条件番号１６２に条件番号が「２」であるデータが存在するか否かを調べる。通知条件データ１４０１で定義された場所が設置場所ＩＤではなく設置場所名である場合は、サーバ１は、表示装置２からの設置場所ＩＤを設置場所名へ変換する変換情報を有してもよい。
【００４５】
ステップ７０６では、ステップ７０５で検索した結果に基づいて、判定対象の通知条件が成立する場合は、ステップ７０７に遷移し、判定対象の通知条件が成立しない場合は、ステップ７０３に遷移し、残りの通知条件が成立するか否かを調べる。例えば、ステップ７０５においてアクセス検出履歴情報とアクセス通知情報を検索した結果に基づいて、通知条件データ１４０１が示す「設置場所ＩＤが１００の場所においてクーポン券を取得した回数が１０件に到達し、かつ設置場所ＩＤが１０１の場所においてクーポン券を取得した回数が１０件に到達していない」という通知条件を満たす場合は、ステップ７０７に遷移する。
【００４６】
ステップ７０７では、ステップ７０５において判定対象となった通知条件データから通知対象者１４７を取得し、その通知対象者に対して、前記通知条件が成立したことを通知する。例えば、通知条件データ１４０１が成立した場合は、通知対象者として「ａｄｍｉｎ＠ｘｘｘ．ｃｏｍ」および「ｙａｍａｄａ＠ｘｘｘ．ｃｏｍ」に通知条件データ１４０１が成立したことを通知する。
【００４７】
ステップ７０８では、ステップ７０８において通知したアクセス検出状況をアクセス通知履歴情報１５に格納する。例えば、通知条件データ１４０１が成立した場合は、アクセス通知履歴データ１６０２のように通知した日時と成立した条件番号を格納する。
【００４８】
前記で示した図６と図７の処理フローにより、前記の例として示した通知条件データ１４０１が成立する場合、設置場所ＩＤ「１００」に設置した表示装置のある店舗ではクーポン券取得数が１０件に達したが、設置場所ＩＤ「１０１」に設置した表示装置のある店舗では同一のクーポン券取得数が１０件に達していないため、前者の店舗ではクーポン券と引き換える粗品の在庫が不足する可能性があることをタイムリーに知ることが可能である。そのため、前者の店舗でクーポン券と引き換える粗品の在庫が不足する前に、後者の店舗から粗品をまわしてもらうなど、効率的な在庫調整が可能になる。
【００４９】
前記の例では、利用者からのアクセスを検出すると、通知条件が成り立つか否かを判定したが、一定時間ごとに定期的に通知条件が成り立つか否かを判定することも可能である。例えば、１時間ごとに通知条件を判定し、ある広告画面のクーポン券取得が１日間で１回もなかったことを検出した場合に、粗品を受け取りに来る利用者が少ないことが予想されるため、表示装置を設置している他の店舗に粗品を回すように通知することが可能である。
【００５０】
前記の例では、画面に表示中の広告オブジェクトへのアクセスに関するものであるが、画面の中にキャラクタやアイテムなどの複数のオブジェクトが表示されており、その中から特定の一つのオブジェクトを選択することにより、そのオブジェクトへのアクセスを検出するという方法でもよい。
【００５１】
また、前記の例では、通知条件情報のアクセス内容として「クーポン券取得」の例を用いたが、これに限るものではない。例えば、携帯電話を利用して画面に表示中の広告の詳細情報を取得する、あるいは画面に表示中の広告に関するアンケートに投稿する、あるいはＩＣカードなどを表示装置の読取り機にかざす、あるいは画面に表示中のあるオブジェクトをタッチパネルで選択する、あるいは利用者がディスプレイの前を通り、それをセンサが検出するなど、利用者による操作や利用者の検出などを通知条件情報のアクセス内容として条件指定することが可能である。
【産業上の利用可能性】
【００５２】
本発明は、屋外オープンスペースや建物内部などの人の集まる複数の場所に表示装置を設置し、利用者が表示装置に表示されている広告などにアクセスすると、そのアクセスの内容や表示装置の設置場所に基づいて、アクセスに関する必要な情報だけをタイムリーに通知するシステムに適用できる。
【図面の簡単な説明】
【００５３】
【図１】本発明の実施形態の情報通知システムを示す図である。
【図２】実施形態の通知条件情報の一例を示す図である。
【図３】実施形態のアクセス検出履歴情報の一例を示す図である。
【図４】実施形態のアクセス通知履歴情報の一例を示す図である。
【図５】実施形態の場所情報の一例を示す図である。
【図６】実施形態の表示装置において、アクセスが検出された場合の処理フローの概要を示す図である。
【図７】実施形態のサーバにおいて、アクセスが検出された場合の処理フローの概要を示す図である。
【図８】実施形態の表示装置の表示画面の一例を示す図である。
【図９】実施形態の利用者の携帯電話の表示画面の一例を示す図である。
【符号の説明】
【００５４】
１‥サーバ
２‥表示装置
１１‥通知条件登録部
１２‥通知判定部
１３‥送受信部
１４‥通知条件情報
１５‥アクセス検出履歴情報
１６‥アクセス通知履歴情報
２１‥表示部
２２‥アクセス検出部
２３‥送受信部
２４‥場所情報
【図１】
2007025833.tif 000003
【図２】
2007025833.tif 000004
【図３】
2007025833.tif 000005
【図４】
2007025833.tif 000006
【図５】
2007025833.tif 000007
【図６】
2007025833.tif 000008
【図７】
2007025833.tif 000009
【図８】
2007025833.tif 000010
【図９】
2007025833.tif 000011